(57)【要約】  コネクタであって、実質的に円筒形の形状のベース（１）と、ベース（１）に着脱可能に接続可能であり、複数の接点（３）が配置されているプラグ（２）とを含み；ベース（１）は、導電面（４）を含み、導電面上または導電面内に、中心（６）が導電面（４）の中心と実質的に一致する少なくとも１つの円弧を形成する少なくとも１つの導電トラック（５）が配置され；前記トラック（５）は、さらに、前記接点（３）のうちの１つとの機械的電気的接続を可能にするように配置される、コネクタ。
2018532242.tif 000002
【特許請求の範囲】
【請求項１】
コネクタであって、
実質的に円筒形の形状のソケット（１）と、
該ソケット（１）に着脱可能に接続可能であり、複数の接点（３）が配置されているプラグ（２）と
を含み；
ソケット（１）は、導電面（４）を含み、該導電面上または該導電面内に、中心（６）が導電面（４）の中心と実質的に一致する少なくとも１つの円弧を形成する少なくとも１つの導電トラック（５）が配置され；前記トラック（５）は、さらに、前記接点（３）のうちの１つとの機械的電気的接続を可能にするように配置される、
前記コネクタ。
【請求項２】
同心に配置される少なくとも２つの円形導電トラック（５）を含む、請求項１に記載のコネクタ。
【請求項３】
各接点（３）は、他の接点とは独立して軸方向に移動するように取り付けられる、請求項１または２に記載のコネクタ。
【請求項４】
接点は、可撓性の膜を通って配置される、請求項１〜３のいずれか１項に記載のコネクタ。
【請求項５】
膜は、密封性である、請求項４に記載のコネクタ。
【請求項６】
プラグ（２）は、屈曲している、請求項１〜５のいずれか１項に記載のコネクタ。
【請求項７】
プラグ（２）は、ソケット（１）周りで自由に回転するように接続可能である、請求項１〜６のいずれか１項に記載のコネクタ。
【請求項８】
プラグ（２）は、ソケット（１）周りに限られた数の向きに従って接続可能である、請求項１〜７のいずれか１項に記載のコネクタ。
【請求項９】
コネクタ（３）は、導電面（４）の表面に非対称に分配される、請求項１〜８のいずれか１項に記載のコネクタ。
【発明の詳細な説明】
【技術分野】
【０００１】
本発明は、コネクタに関し、より詳細には電気コネクタに関する。
【背景技術】
【０００２】
多くの場合、多極コネクタの使用は、２つの主構成要素（たとえば、一方の構成要素が雄型接点を含み、一方の構成要素が雌型接点を含む）を特定の角度向きに従って互いに固定することを必要とする。接続の前に一方の構成要素を他方に対して位置合わせしなければならないことは、煩わしいものである。したがって、この煩わしさをなくすことができることが望まれている。
【発明の概要】
【課題を解決するための手段】
【０００３】
本発明は、実質的に円筒形の形状のソケットと、ソケットに着脱可能に接続可能であり、複数の接点が配置されているプラグとを含むコネクタからなる。ソケットは、円板形の導電面を含み、導電面上または導電面内に、中心が導電面の中心と実質的に一致する少なくとも１つの円弧を形成する少なくとも１つの導電トラックが配置され、前記トラックは、さらに、前記接点のうちの１つとの機械的電気的接続を可能にするように配置される。
【０００４】
本発明によるコネクタにおいて、ソケットとプラグは、コネクタを形成する２つの主構成要素を構成する。
【０００５】
単一の円形トラックだけを含む特定の構成では、ソケットの面の中心は、プラグの中心に配置された接点との電気接続を可能にするように配置される導電円板である。
【０００６】
好ましくは、コネクタは、同心に配置される少なくとも２つの円形導電トラックを含む。
【０００７】
有利には、プラグの各接点は、ソケットの導電トラックとの恒久的な機械的接触を確実にするために、他の接点とは独立して軸方向に移動するように取り付けられる。
【０００８】
各接点に戻り力を及ぼすための機構を設けることができる。
【０００９】
本発明の一変形形態によれば、接点は、好ましくは密封性（ｓｅａｌ−ｔｉｇｈｔ）の、たとえばゴムから作られる、可撓性の膜を通って配置される。
【００１０】
プラグ全体は、単一方向に向けられる。あるいは、プラグは、屈曲したものとすることもできる。
【００１１】
プラグは、ソケット周りで自由に回転するように、または限られた数の角度向きに従って、接続可能である。
【００１２】
本発明は、特に図示されているいくつかの例を含む以下の説明からより良く理解されよう。
【図面の簡単な説明】
【００１３】
【図１】ソケットがプラグの自由な向きのために設計されている、本発明の一変形形態の図である。
【図２】ソケットがプラグの限られた角度向きのために設計されている、本発明の他の変形形態の図である。
【図３】ソケットの側面図である。
【図４】ソケットの断面図である。
【図５】共に接続されている（屈曲した）プラグ−ソケットの対の図である。
【図６】屈曲したプラグの他の図である。
【図７】プラグの配線の図である。
【図８】いくつかの出力を含むプラグの図である。
【図９】積み重ねられたプラグ／ソケットの図である。
【図１０】ばねリングの図である。
【図１１】プラグに組み込まれたばねリングの図である。
【発明を実施するための形態】
【００１４】
本明細書において例示される実施形態によれば、コネクタは、７つの接点を含む。言うまでもないが、本発明は、この構成に限定されない。また、本発明は、少なくとも２つの接点を含む任意のコネクタを包含する。さらに、本発明によるコネクタの寸法は、任意の寸法であってよい。
【００１５】
本発明によるコネクタは、ソケット１（たとえば、ユニットハウジング要素）に対してプラグ２（たとえば、配線要素（ｗｉｒｅｄ  ｅｌｅｍｅｎｔ））を予め配向する必要のない特定の機能を有する。この利点は、ソケットおよびその導電面４の円筒形／円形の幾何形状によるものである（たとえば図１参照）。接続された後、ソケット１とプラグ２との間の相対的な回転は、自由にすることも、双安定タイプのシステム（たとえば横方向圧力によるロッキングおよび軸方向圧力によるロッキング解除）を介して遮断することもできる。それにもかかわらず、図２に表されるように、向きを与え、プラグを差し込める可能性を有限個の異なる角度位置（たとえば、９０度隔てられた４箇所、または３０度隔てられた１２箇所）に限定することができる。
【００１６】
ソケット１は、ナット７（図１）もしくはリベットなど固定要素、またはこれら２つの要素の耐久性のある固定を可能にするまたは他の適当な手段（たとえば、ソケットが織物／衣料品に縫い付けられる）を介して、外部デバイスに固定することができる本体から構成される。
【００１７】
ソケット１は、金属接点８を介してデバイスに接続可能である。金属接点８は、デバイス（導電部材を組み込んだ織物とすることも、織物内に組み込まれていないものとすることもできる）に直接相互接続されるか、またはソケットに溶接されデバイスとインターフェースする電気回路（ＰＣＢ、可撓線など）を介して相互接続される（図３）。
【００１８】
プラグ２は、電気的に絶縁する部材によって隔てられる導電部材から構成される。プラグ２は、信号伝送および電気絶縁の機能を確実にすることが可能な任意のタイプの部材のアセンブリから構成することができる（図１および図４）。プラグ２およびソケット１は、特定の清浄具なしに汚れ／堆積物／粒子を除くために表面にアクセスすることが簡単であるため、「清浄可能」であることが好ましい。
【００１９】
有利には、プラグ２は、ソケット１に対して片手で接続および接続解除することができる。接続／接続解除は、単に、プラグ２における圧力／引張力によって実施することができる（ロッキングのない変形形態）（図５）。他の変形形態によれば、コネクタは、ロッキングを含み、ロッキング機構を解放するためには、２つの側部における横方向圧力（または任意の他の意図的な行動）が必要である。
【００２０】
好ましくは、プラグ２は、ソケット１との電気的接触を保証するために、特定の弾力性を示すべきである。この目的のために、各接点３を、他の接点３とは独立して軸方向に移動するように取り付け、各接点３がソケット１の対応するトラック５に押し付けられることを保証することができる。有利には、接点３は、可撓性の膜９を通り抜ける。可撓性の膜９は、接点３の互いに対する個別の移動を可能にするサブアセンブリを構築するために、たとえば接点３の上にゴムをオーバーモールド（ｏｖｅｒｍｏｌｄ）することによって、または任意の他の手段によって得られる（図５）。膜９は、アセンブリの密封性を保証することをも可能にする。ソケット１の方に向かう戻り機構をもたらす弾性要素（図面には示されない）は、各接点３の電気的導通を保証するために、各接点３に個別の圧力を及ぼすことができるようにする。膜９は、この弾性要素機能を発揮することができることに留意されたい。さらに、膜９および接点３の準平滑面によって、ソケット１のものと同様な、完全な「清浄性（ｃｌｅａｎａｂｉｌｉｔｙ）」を保証する（図６）ことも可能になる。ケーブル、またはたとえばＰＣＢ（図示せず）である任意の他のリンク手段の電線は、バルクを制限しつつ電気的リンクを保証するために、各接点３の後面に接続（たとえば水平方向に溶接）される。キャップは、システムを機械的に保護しそれを密に封止する（図７）ために、アセンブリを覆う。
【００２１】
本発明の他の変形形態（図示せず）によれば、同心トラックは、ソケットの面内に円形の溝を形成する。
【００２２】
プラグ２およびソケット１の出力１０の数は、複数とすることができる（図８）。
【００２３】
プラグ２は、いくつかのプラグ／ソケットの積み重ねを可能にするために、「ソケット」部材を含むことができる（図９）。
【００２４】
コネクタにおけるプラグ差し込みのロッキングおよび／または確認（ａｃｋｎｏｗｌｅｄｇｅｍｅｎｔ）は、特定の弾力性を示すばねリング１１によってもたらされる。リング１１は、ボール１２上に支承され、ボール１２自体は、ソケットに形成された溝１３（図１および図３）に収容される。ばねリング１１の可能な例示は、図１０に示されており、プラグ２への組み込みは、図１１に示されている。
【００２５】
ボールハウジング１４の位置（図２）は、複数とすることができ、差し込まれた後で回転を回避するために、いくつかのロッキングポイントを提供することができる。
【符号の説明】
【００２６】
１  ソケット
２  プラグ
３  接点
４  導電面
５  導電トラック
６  導電面の中心
７  ナット
８  接点
９  膜
１０  出力
１１  ばねリング
１２  ボール
１３  円形溝
１４  ボールハウジング
【図１】
2018532242.tif 000003
【図２】
2018532242.tif 000004
【図３】
2018532242.tif 000005
【図４】
2018532242.tif 000006
【図５】
2018532242.tif 000007
【図６】
2018532242.tif 000008
【図７】
2018532242.tif 000009
【図８】
2018532242.tif 000010
【図９】
2018532242.tif 000011
【図１０】
2018532242.tif 000012
【図１１】
2018532242.tif 000013
【国際調査報告】
2018532242.tif 000014
2018532242.tif 000015
2018532242.tif 000016
2018532242.tif 000017
2018532242.tif 000018
2018532242.tif 000019